(57)【要約】【課題】  スーパーロータリーエンジンを応用し回転運動により低燃費、高回転、高性能で機械音を無くし、ノッキングを発生させないロータリーディーゼルエンジンをつくること。【解決手段】  スーパーロータリーエンジンの応用でＡとＢを左右の燃焼用ロータリーポンプとし、その外側に空気圧縮用の（Ａ−Ｐ）と（Ｂ−Ｐ）の高圧ロータリーポンプを設ける。また圧縮タンクを設け高圧空気を貯める。回転数の違う二通りのロータリーバルブを設け、ロータリーバルブの穴と側面壁の穴を広くさせる事を可能とし圧縮タンクとバルブケースを短絡パイプで継ぎ、高圧空気を圧送させ、燃焼室を適正な圧力にする。燃焼室の円形シリンダーの一部に設けた小燃焼室内のインジェクターにより燃料の噴射と、ともに燃焼をさせる。またエンジンを冷却する装置やエンジン内のオイルを冷却する装置も設ける。またエンジンに必要なものは全て設けるものとする。【選択図】  図１
2005330950.tif 000002
【特許請求の範囲】
【請求項１】
スーパーロータリーエンジンの応用で、内側に燃焼用のロータリーポンプＡとＢを設ける。その外側に（Ａ−Ｐ）と（Ｂ−Ｐ）の高圧ロータリーポンプを設ける。高圧ロータリーポンプにより圧縮された空気を貯める圧縮タンクを設ける。燃焼用ロータリーポンプＡとＢの外側で（Ａ−Ｐ）と（Ｂ−Ｐ）の側面壁に圧縮タンクを設ける。圧縮タンクの内側で（Ａ−Ｐ）と（Ｂ−Ｐ）の圧縮空気通路の外側に一方通行バルブを設ける。燃焼用ロータリーポンプの側面壁でロータリーバルブ入口を同じ扇を少し開いた形の空気入口を設ける。バルブケースを二段式とし二つのロータリーバルブを設け、外側のバルブの内空軸の中側に内側のバルブの軸を通し別々の歯車を設け、回転させる。内側のバルブは出力軸に対して一回転とし、外側のバルブは出力軸の回転に対して二回転とする。また圧縮タンクとバルブケースの入口を短絡パイプで結ぶ。ＡとＢの燃焼用ロータリーポンプの山のローターの方のケーシングで谷のローターのケーシングに近い位置に小さな燃焼室を設けインジェクターを設ける。燃焼用ロータリーポンプＡとＢの温度を一定に保つため冷却液室を設け冷却する冷却装置を設ける。ローターの温度を一定に保つため冷却装置を設け潤滑油を循環させる。また発電機、スターターモーター、グロープラグ、分配型ポンプ、等必要なものを設けるものとする。また圧縮比は適正な数値にするものとする。
【発明の詳細な説明】
【技術分野】
【０００１】  本発明はスーパーロータリーエンジンを応用したもので、回転運動により低燃費、低騒音、高性能でノッキングをなくし構造を簡単としたロータリーディーゼルエンジンに関するものである。
【背景技術】
【０００２】  従来のエンジンはピストンによるものがあるがノッキング音とか機械音など騒音が著しい。また構造が複雑で重量が重い燃費はガソリンエンジンよりは良いが、エンジンの膨張仕事が少ないため熱効率は低かった。
【発明の開示】
【発明が解決しようとする課題】
【０００３】  イ．バルブの開閉による騒音を無くすること。またエンジンの振動を無くすること。
ロ．高性能で低燃費のエンジンをつくること。
ハ  構造を簡単にし軽量化し量産可能とすること
【課題を解決するための手段】
【０００４】スーパーロータリーエンジンを応用し、燃焼用ロータリーポンプと空気圧縮用の高圧ロータリーポンプを設け、適正な高圧空気を圧縮タンクに貯める。短絡パイプでロータリーバルブの開閉により燃焼室に空気を圧送する。インジェクターにより燃料を噴射し燃焼させる。そしてローターの山を回転方向に円運動させ、出力軸に動力を発生させる。これを交互に繰り返えさせ円滑な回転をさせる様にする。バルブの穴を大きくするため二段式のロータリーバルブを設け、内側のバルブを出力軸と同じ回転数にし、外側のバルブは出力軸の回転に対し二回転とする。ローターの重心を軸の中心とする。またロターの温度とケーシングの温度を一定に保つための冷却装置を設ける。ローターとケーシングとの気密を保つための気密リング、山の部の側面に側面シールを設る、ローターの山の頂点に気密シールを設ける。
【発明の効果】
【０００５】  高性能、低燃費のロータリーディーゼルエンジンが実現した。また故障部分が少なくなった。耐久性が増した。ノッキングが無くなり振動も少なくなり、騒音が少なくなった。
【発明を実施する最良の形態】
【０００６】スーパーロータリーエンジンを応用したことにより、円形シリンダーを形成し、燃焼室内のインジェクターにより、圧縮タンクから送られた高圧空気に燃料を噴射させ、燃焼させローターを回転させる。これを交互に行ない強力な回転をさせるものである。また常に安定した回転をさせるため冷却装置を設けた。またケーシングの空気入口を大きくするため二段式のロータリーバルブを設け、中央仕切板をはさんで内と外に設け、内側のバルブを出力軸の回転数と同じくし、外側のバルブは出力軸に対して二回転とした。また外側のバルブの内空軸の中に内側のバルブの軸を入れ、それぞれの軸に、二種類の歯車を設ける事により、空気を容易に燃焼室に送り込むことができ、スーパーロータリーディーゼルエンジンの高性能化を実現できた。各バルブの穴の位置はケーシングの側面壁の穴の位置と完全に重なった位置を基準とし回転させた。また外側のバルブが開き始める時は谷の方のローターの谷の部分が納まった時からとした。
【実施例】
【０００７】スーパーロータリーエンジンの応用で内側に燃焼用ロータリーポンプＡとＢを設け、その外側に（Ａ−Ｐ）と（Ｂ−Ｐ）の高圧ロータリーポンプを設ける。高圧ロータリーポンプにより圧縮された空気を貯める圧縮タンクを設ける。燃焼用ロータリーポンプＡとＢの外側で高圧ロータリーポンプ（Ａ−Ｐ）と（Ｂ−Ｐ）の側面壁に圧縮タンクを設ける。圧縮タンクの内側で（Ａ−Ｐ）と（Ｂ−Ｐ）の空気通路の外側に一方通行バルブを設ける。燃焼用ロータリーポンプのＡとＢのケーシングの側面壁にロータリーバルブの穴と、同じ扇を少し開いた形の空気入口を設ける。バルブケースを二段式とし、二つのロータリーバルブを設け、外側のバルブの内空軸の中に、内側のバルブの軸を通し、別々の歯車を設ける。内側のバルブは出力軸の回転に対して一回転とし、外側のバルブは出力軸の回転に対して二回転とする。圧縮タンクとバルブケースの入口を短絡パイプで結ぶ。ＡとＢの燃焼用ロータリーポンプの山の方のケーシングで谷の方のケーシングに近い位置に小さな燃焼室を設け、燃料インジェクタを設ける。燃焼用ロータリーポンプＡとＢを冷却するため冷却装置を設ける。またローターを冷却する冷却装置を設け、潤滑油を循環させる。また出力軸と副軸を連動させるため駆動歯車を設ける。また、グロープラグ、発電機、スターターモーター、分配型ポンプ等エンジンに必要なものを設けるものとする。（Ａ−Ｐ）と（Ｂ−Ｐ）の高圧ロータリーポンプにより圧縮された空気は圧縮タンクに送られ短絡パイプを通り、バルブケースに送られ、扇の一部の形をした内側のバルブと外側のバルブの穴が、ケーシングの穴と重った時に、燃焼室に空気が圧送され、燃焼室を適正な圧縮比にする。そしてインジェクターより燃料が噴射され、燃焼しローターを回転させる。これをＡとＢ交互に繰り返えさせ、出力軸に動力が伝えられる。尚高圧ロータリーポンプのオイルの循環はロータリーポンプのオイルの吸い上げ口が、軸の中心の末端だが、これは軸の横に穴をあけ軸の中心の穴に連通させるものとする。出力軸の先端の穴は塞ぐものとする。
スーパーロータリーエンジン  特願平９−３６９９９０
ロータリーポンプ            特願２００４−１３６９０１
【産業上の利用可能性】
【０００８】本発明はスーパーロータリーエンジンを応用したもので、回転運動により低燃費、高性能、高回転で構造を簡単とし、機械音とノッキングを抑えたスーパーロータリーディーゼルエンジンで、利用分野は多種多用とする。
【図面の簡単な説明】
【０００９】
【図１】スーパーロータリーディーゼルエンジン主要構成図
【図２】スーパーロータリーディーゼルエンジン軸方向の主要断面図
【図３】スーパーロータリーディーゼルエンジンＢの断面参考図ローターとバルブの関係
【図４】スーパーロータリーディーゼルエンジンＡの断面参考図ローターとバルブの関係
【図５】（Ａ−Ｐ）の空気圧縮用高圧ロータリーポンプ中側の図
【図６】（Ｂ−Ｐ）の空気圧縮用高圧ロータリポンプ中側の図
【図７】外側のロータリーバルブ歯車の図
【図８】内側のロータリーバルブ歯車の図
【図９】バルブケースと入口の位置図
【図１０】側面壁の入口とバルブの関係
【符号の説明】
【００１０】Ａ          Ａ側の燃焼用ロータリーポンプ
Ｂ          Ｂ側の燃焼用ロータリーポンプ
Ａ−Ｐ      Ａ側の圧縮用高圧ロータリーポンプ
Ｂ−Ｐ      Ｂ側の圧縮用高圧ロータリーポンプ
【図１】
2005330950.tif 000003
【図２】
2005330950.tif 000004
【図３】
2005330950.tif 000005
【図４】
2005330950.tif 000006
【図５】
2005330950.tif 000007
【図６】
2005330950.tif 000008
【図７】
2005330950.tif 000009
【図８】
2005330950.tif 000010
【図９】
2005330950.tif 000011
【図１０】
2005330950.tif 000012